(57)【要約】      （修正有）【課題】モップクリーナとして、モップ洗浄機能とモップ収納機能とを兼備すること、および小型化して移動を容易とし、装置の床面積を低減すること。【解決手段】第１集塵部Ａと、第２集塵部Ｂとを、上下2段の配置とし、縦長筒状の機体ケース１を水平隔壁で二分して、その上半部を第１集塵部周壁１Ａ、その下半部を第２集塵部周壁２Ｂとし、第１集塵部周壁１Ａ内に、モップカゴ２を内装して、モップカゴ２内にモップ収納空間Ｐ１を形成し、第１集塵部周壁１Ａとモップカゴ２との間で塵埃回収空間Ｐ２を形成して、第１集塵部Ａを構成し、第２集塵部周壁２Ｂ内に、電気モータ５を下段として、フィルター６、ダスト収容部７を順次上方へ内装して、第２集塵部Ｂを構成し、第１集塵部Ａの塵埃回収空間Ｐ２と第２集塵部Ｂのダスト収容部７とを連通させることで、装置の小型化と、装置の床面積の低減を実現する。【選択図】図１
2014233505.tif 000002
【特許請求の範囲】
【請求項１】
第１集塵部と、第２集塵部とを、上下2段の配置とし、
縦長筒状の機体ケースを水平隔壁で二分して、その上半部を第１集塵部周壁、その下半部を第2集塵部周壁とし、
第１集塵部周壁内に、モップカゴを内装して、モップカゴ内にモップ収納空間を形成し、第１集塵部周壁とモップカゴとの間で塵埃回収空間を形成して、第１集塵部を構成し、
第2集塵部周壁内に、電気モータを下段として、フィルター、ダスト収容部を順次上方へ内装して、第2集塵部を構成し、
第１集塵部の塵埃回収空間と第2集塵部のダスト収容部とを連通させ、
第１集塵部に、モップを収納して、モップに付着した塵埃の分離を行い、第2集
塵部は、第１集塵部で分離した塵埃の真空吸引および収容を行うことを特徴とするモップクリーナ。
【請求項２】
縦長筒状の機体ケースを上下二分する前記水平隔壁に、貫通孔を形成することにより、第１集塵部の塵埃回収空間と第2集塵部のダスト収容部とを連通させることを特徴とする、請求項1に記載するモップクリーナ
【請求項３】
第１集塵部の出口と第2集塵部のダスト入口とを連通する連通ホースを設けて、  
第１集塵部の塵埃回収空間と第2集塵部のダスト収容部とを連通させることを特徴
とする、請求項1に記載するモップクリーナ
【請求項４】
第１集塵部の出口４について、第１集塵ケース周壁1Aの下端近傍とし、
第１集塵部におけるモップカゴの底面近傍および水平隔壁3近傍に存在する塵埃も、第2集塵部2に吸引集塵することを特徴とする、請求項3に記載するモップクリーナ。
【請求項５】
第１集塵ケース周壁1Aに形成する第１集塵部の出口4を、モップカゴ2の底面より上方位置に設定して、第１集塵部AにおけるモップCのモップ清掃体21に付着した塵埃の分離にあたり、比較的に粗い塵埃のモップカゴの底部内への残留を高め、微細な塵埃のみを第2集塵部のダスト収容部に真空集塵するとともに、比較的大きな塵は第１集塵部に残して分離することを特徴とする、請求項3に記載するモップクリーナ。
【請求項６】
前記機体ケースの天面を開閉自在とする天面カバーを有することを特徴とする、請求項1に記載するモップクリーナ。
【請求項７】
前記機体ケースの第2集塵部周壁の底面近傍に位置して、フィルターの下面に連通する排気口を形成するとともに、
前記排出口を、上向き傾斜角としたことを特徴とする、請求項1に記載するモップクリーナ。
【発明の詳細な説明】
【技術分野】
【０００１】
本発明は、モップクリーナに関するものである。より詳しくは、室内床面、壁面等に付着した塵埃を除去するための清掃用具であるモップについて、モップに付着した塵埃を分離・集塵するとともに、モップを保管するための装置に関するものである。
【背景技術】
【０００２】
柄の先端にモップ清掃体を水平状態で装備したモップに関して、モップ清掃体を水平状態に維持した状態で、モップの洗浄、収納を行うものは、特に、モップ清掃体を円形とするものにおいて、公知である。
【０００３】
特許文献1の特開2003-153830号公報「床用定置式集塵装置」には、モップに付着した塵埃を分離・集塵するための塵埃吸引口が、機体ケースの側面に形成さけているモップ塵埃集塵装置が開示されている。
モップの収納のためには、公知のごみ箱を使用するか、室内床面に放置することとなる。
【先行技術文献】
【特許文献】
【０００４】
【特許文献１】特開2003-153830号公報「床用定置式集塵装置」
【発明の概要】
【発明が解決しようとする課題】
【０００５】
本発明は、モップクリーナとして、モップ洗浄機能とモップ収納機能とを兼備すること、および小型化して移動を容易とし、装置の床面積を低減することを課題とする。
【課題を解決するための手段】
【０００６】
本願発明は、第１集塵部と、第２集塵部とを、上下2段の配置とし、縦長筒状の機体ケースを水平隔壁で二分して、その上半部を第１集塵部周壁、その下半部を第2集塵部周壁とし、  第１集塵部周壁内に、モップカゴを内装して、モップカゴ内にモップ収納空間を形成し、第１集塵部周壁とモップカゴとの間で塵埃回収空間を形成して、第１集塵部を構成し、第2集塵部周壁内に、電気モータを下段として、フィルター、ダスト収容部を順次上方へ内装して、第2集塵部を構成し、第１集塵部の塵埃回収空間と第2集塵部のダスト収容部とを連通させ、第１集塵部に、モップを収納して、モップに付着した塵埃の分離を行い、第2集塵部は、第１集塵部で分離した塵埃の真空吸引および収容を行うことを特徴とする。
【発明の効果】
【０００７】
本発明は、第１集塵部と、第２集塵部とを、上下2段の配置とし、縦長筒状の機体ケースを水平隔壁で二分して、その上半部を第１集塵部周壁、その下半部を第2集塵部周壁とし、  第１集塵部周壁内に、モップカゴを内装して、第１集塵部を構成し、第2集塵部周壁内に、電気モータを下段として、フィルター、ダスト収容部を順次上方へ内装して、第2集塵部を構成したから、モップクリーニング機能とモップ収納機能とを兼備することができるとともに、装置を小型化して移動を容易とするとともに、装置の床面積を低減する効果を有する。
【図面の簡単な説明】
【０００８】
【図１】本発明のモップクリーナの第1実施例を示す縦断面図。
【図２】同じく第2実施例を示す縦断面図。
【図３】同じく第3実施例を示す縦断面図。
【発明を実施するための最良の形態】
【０００９】
図1を参照して、本発明のモップクリーナは、第１集塵部Aと、第２集塵部Bとを、上下2段の配置として構成する。
【００１０】
縦長筒状の機体ケース1を、水平隔壁3で二分して、その上半部を第１集塵部周壁1A、その下半部を第2集塵部周壁1Bとする。
第１集塵部Aは、第１集塵部周壁1A内に、モップカゴ2を内装して、モップ収納空間Ｐ1と塵埃回収空間Ｐ2とを有する第１集塵部を構成する。
【００１１】
第2集塵部Bは、第2集塵部周壁1B内に、吸引ファン5ａ付き電気モータ5を下段として、フィルター6、ダスト収容部7 、ダスト流入室8を順次上方へ内装して構成する。
第１集塵部Ａの塵埃回収空間Ｐ1と第2集塵部Ｂのダスト収容部7とを、水平隔壁に形成した貫通孔を介して連通させる。
第１集塵部1のモップカゴ2内に、モップCを収納自在とするとともに、収納したモップCに付着した塵埃の分離を行なう。
［第1実施例］
【００１２】
図1を参照して、本発明のモップクリーナは、機体ケース1について、縦長円筒形状の合成樹脂成型品、または金属成型品とし、第１集塵部Aと、第２集塵部Bとの、上下2段の配置として構成する。
【００１３】
縦長筒状の機体ケース1を、水平隔壁3で二分して、その上半部を第１集塵部周壁1A、その下半部を第2集塵部周壁1Bとする。
【００１４】
第１集塵部Aに、第１集塵部周壁1A内にモップカゴ2を内装して、モップ収納空間Ｐ1と塵埃回収空間Ｐ2とを有する第１集塵部を構成する。
なお、モップカゴ2と第１集塵部周壁1A・水平隔壁3との間に、適宜のスペーサを介装して、塵埃回収空間Ｐ2を形成するための空間を確保する。
【００１５】
第2集塵部Bを、第2集塵部周壁1B内に、吸引ファン5ａ付き電気モータ5を下段として、フィルター6、ダスト収容部7 、ダスト流入室8を順次上方へ内装して構成する。
【００１６】
第１集塵部Ａの塵埃回収空間Ｐ2と第2集塵部Ｂのダスト収容部7とを連通するにあたり、第１実施例においては、第１集塵部の塵埃回収空間Ｐ1の出口4と第2集塵部Ｂのダスト収容部7とを連通する連結ホース10を装備する。
【００１７】
第１集塵部の出口４について、第１集塵ケース周壁1Aの下端近傍とする。
第１集塵部におけるモップカゴ2の底面近傍および水平隔壁3近傍に存在する塵埃も、第2集塵部2に吸引集塵することで、第１集塵部Aについては底部に残った塵埃の処理を不要とする。
【００１８】
モップカゴ2は、底面および周壁よりなり、上面を開放した筒状体で、周面および底面には、通気孔23が形成されている。
【００１９】
モップカゴ2には、モップ清掃体21を軸支点22で折り曲げ垂直状態として、
モップ柄20と平行とした状態で、モップCを収納可能とする。
【００２０】
上記の状態で、モップ柄20は、モップカゴ2の上端および第１集塵部周壁1Aの上端より突出している。突出しているモップ柄20を操作することで、モップを、モップカゴ2に投入、引出しを自由とするとともに、モップカゴ2の内周面にモップ清掃体21を接当させることで、モップ清掃体21に付着した塵埃の分離を容易とする。
【００２１】
機体ケース1の上端に戴置自在とした天面カバー25Aを設けるか、機体ケース1の上端部に軸支した天面カバー25Bを設ける。なお、天面カバー25A、25Bには、モップ柄20を貫通するための、中心孔26A、切欠部26Bを設ける。
【００２２】
天面カバー25A、25Bにより、第１集塵部1Aの密封性を高めることで、第2集塵部Bの真空集塵の効率を高めることができる。また、第１集塵部Aのモップカゴ2より室内への塵埃の飛散を防止できる。
【００２３】
第2集塵部Bについて、機体ケースの第2集塵部周壁1Bの底面近傍に位置して、モーター室28を介してフィルターの下面に連通する排気口27を上向き傾斜角で形成することにより、第2集塵部Bよりの排気による装置近傍の床面の塵埃の舞い上がりを防止する。
【００２４】
第2集塵部Bのダスト収容部7について、機体ケースの第2集塵部周壁1Bより取出し自在とした塵埃収容ボックス7Aで構成する。シール部材9により塵埃収容
ボックス7Aとダスト収容部7との間を密封状態に維持する。  
【００２５】
塵埃収容ボックス7Aの底面に、網目29を形成して、塵埃収容ボックス7A の内部を、網目29、フィルター6およびモータ室28を介して、排気口27に連通する。
［第2実施例］
【００２６】
第２実施例は、図2を参照して、下記の構成を、図1に示す第1実施例と相違する。
【００２７】
第１集塵ケース周壁1Aに形成する第１集塵部の出口4を、モップカゴ2の底面より上方位置に設定して、第１集塵部AにおけるモップCのモップ清掃体21に付着した塵埃の分離にあたり、比較的に粗い塵埃のモップカゴの底部内への残留を高める。
【００２８】
微細な塵埃のみを第2集塵部のダスト収容部に真空集塵するとともに、比較的大きな塵は第１集塵部に残して分離することで、第2集塵部の真空集塵の作用効率を高めるとともに、第2集塵部のモータの負担を軽減する効果を有する。
【００２９】
第2集塵部Bのダスト収容部7について、紙パック7Bで構成する。シール部材9により紙パック7Bとダスト収容部7との間を密封状態に維持する。  
【００３０】
第1実施例および第2実施例においては、連結ホース１０の上端を第１集塵部の出口4より離脱することで、連結ホース１０の上端を床面に接近させることにより、モップクリーナの近傍床面の清掃を行うことができる。
［第3実施例］
【００３１】
第３実施例は、図3を参照して、下記の構成を、図1に示す第1実施例および図2に示す第2実施例と相違する。
【００３２】
縦長筒状の機体ケースを上下二分する前記水平隔壁3に、貫通孔3aを形成する。
第１集塵部の塵埃回収空間と、第２集塵部のダスト収容部7とを、貫通孔3aおよびダスト流入室8とを介して、連通する。
【００３３】
第3実施例においては、水平隔壁3の貫通孔3aが連結ホース１０としての機能を有することで、連結ホース１０が存在しない。よって、製品コストの低減と製品の外観デザインの単純化による製品意匠の向上の効果を有する。
【産業上の利用可能性】
【００３４】
本発明は、モップクリーナの改善により、モップクリーナの使用を促進して、モップクリーナ等の清掃用品製造産業の発展に寄与するものである。
【符号の説明】
【００３５】
A    第１集塵部
B   
第２集塵部
C   
モップモップ
P1     収納空間
Ｐ2     塵埃回収空間
1   
機体ケース
1A     第１集塵部周壁
1B     第2集塵部周壁
2    
モップカゴ
3    
水平隔壁
5      電気モータ
6      フィルター
7      ダスト収容部 
8      ダスト流入室
【図１】
2014233505.tif 000003
【図２】
2014233505.tif 000004
【図３】
2014233505.tif 000005